(57)【要約】【課題】  隣接する壁パネルの間に隙間がなく、従って、外観がよく、この壁パネルの間の隙間部分の機械的強度が弱くない状態に施工することのできる壁パネルと、この壁パネルを取り付けた壁と、この壁パネルを取り付ける壁の施工方法並びに建物を提供すること。【解決手段】  板状壁材２と補強材３とからなる壁パネル１である。そして、この補強材３は有孔板状補強材又は線状補強材であり、この補強材３が板状壁材２の側縁から板状壁材２の面の延長方向に突出している壁パネル１である。【選択図】  図１                                                                
2004308408.tif 000002
【特許請求の範囲】
【請求項１】
板状壁材と補強材とからなる壁パネルであって、前記補強材が有孔板状補強材又は線状補強材であり、この補強材が板状壁材の側縁から板状壁材の面の延長方向に突出していることを特徴とする壁パネル。
【請求項２】
前記補強材が板状壁材の側縁部分のみに設けられていることを特徴とする請求項１記載の壁パネル。
【請求項３】
前記補強材が板状壁材の面方向全体に略均一に設けられていることを特徴とする請求項１記載の壁パネル。
【請求項４】
請求項１〜３のいずれかに記載の壁パネルの複数枚が、板状壁材の側縁から突出している補強材を重複させた状態に並べられて、建物躯体に取り付けられ、この並べられた隣接する壁パネルの板状壁材間の隙間には、硬化した硬化性材料が充填されていて、突出している補強材がこの硬化した硬化性材料で連結されていることを特徴とする壁。
【請求項５】
請求項１〜3のいずれかに記載の壁パネルの複数枚を、隣接する壁パネルの板状壁材間に隙間を設け、且つ、この隙間で板状壁材の側縁から突出している補強材を重複させた状態にして並べて、建物躯体に取り付け、その後に、並べられた隣接する壁パネルの板状壁材間の隙間に硬化性材料を充填し、この硬化性材料を硬化させて補強材を連結することを特徴とする壁の施工方法。
【請求項６】
板状壁材と補強材とからなる壁パネルであって、前記補強材が有孔板状補強材又は線状補強材であり、この補強材が板状壁材の内部に埋設され、板状壁材の表面側が裏面側より板状壁材の面に沿った方向で短いことを特徴とする壁パネル。
【請求項７】
請求項６に記載の壁パネルの複数枚が、板状壁材の裏面側端部同士を付き合わせた状態に並べられて、建物躯体に取り付けられ、この並べられた隣接する壁パネルの板状壁材の表面側間の隙間には、更に追加補強材が敷設され、硬化した硬化性材料が充填されていて、隣接する壁パネルと追加補強材がこの硬化した硬化性材料で連結されていることを特徴とする壁。
【請求項８】
請求項６に記載の壁パネルの複数枚を、板状壁材の裏面側端部同士を接した状態にして並べて、建物躯体に取り付け、この並べた隣接する壁パネルの板状壁材の表面側間の隙間に、更に追加補強材を敷設するとともに硬化性材料を充填し、この硬化性材料を硬化させて、補強材をこの硬化した硬化性材料で連結することを特徴とする壁の施工方法。
【請求項９】
請求項４又は請求項７に記載の壁を有することを特徴とする建物。
【発明の詳細な説明】
【技術分野】
【０００１】
この発明は壁パネルと、この壁パネルを建物躯体に取り付けた壁及びこの壁の施工方法並びに建物に関する。
【背景技術】
【０００２】
壁には、継ぎ目のない所謂大壁と称する壁と、複数枚の壁パネル又は壁材を並べて取り付けた壁の２種類ある。
継ぎ目のない壁としては、特許文献１に記載されているように、建物躯体の壁部分に設けられた外壁下地板の上に表層、アスファルトコンパウンド層、基層からなる防水面材を設け、この防水面材の上にラス等の有孔補強材を取り付け、この上からセメントモルタル等を塗装した壁や、特許文献２に記載されているように、ガラス繊維ネットを設けたセメントボードを外壁躯体に取り付け、このセメントボードの外側面にセメントモルタル層を設けた壁等が知られている。
【０００３】
壁パネルを取り付けた壁としては、工場等で壁パネルを製造し、施工現場では、この壁パネルの複数枚を並べた状態にして、建物躯体に取り付け、隣接する壁パネルの間に形成された隙間に、例えば、特許文献３に記載されているような目地材を充填した壁が多く採用されている。
【０００４】
また、特許文献４に記載されているように、壁材又は壁パネルを並べて取り付け、この並べられた隣接する壁材又は壁パネルに弾性を有する柔軟な長尺基材を差し渡して取り付け、壁材又は壁パネルと柔軟な長尺基材の上に塗装を施した壁もある。
【０００５】
【特許文献１】特開２００１−２７９９０２号公報
【特許文献２】特開２００２−１６１６２３号公報
【特許文献３】実公平３−５２８８９号公報
【特許文献４】特開平６−１５８８１１号公報
【発明の開示】
【発明が解決しようとする課題】
【０００６】
しかし、特許文献１に記載されている壁では、施工現場で、外壁下地板を取り付け、この外壁下地板の上に防水面材を設け、この防水面材の上にラス等の有孔補強材を取り付け、この上にセメントモルタルを塗装し、このセメントモルタルを硬化させる必要があり、現場施工工数が多く、施工し難い。
【０００７】
特許文献２に記載されている壁では、予め工場で製造されているセメントボードを取り付けて外壁下地材とするので、現場施工工数が特許文献３に記載されているより少なくなるが、セメントボードにガラス繊維ネットを設けたり、このセメントボードの上からセメントモルタル層を設ける必要があるので、特許文献１に記載されている壁と同様に現場施工工数が未だ多く施工し難いという問題がある。
【０００８】
壁パネルの間に特許文献３に記載されている目地材を充填した壁は、予め、工場等で製造されている複数枚の壁パネルを並べて建物躯体に取り付け、この複数枚の壁パネルの間の隙間に目地材を挿入するだけであるので、極めて施工し易く、施工期間が短いという特徴があり、極めて好ましいが、目地材の充填が不十分であると、目地材と壁パネルとの間から雨水が浸入することがあるし、目地材が見えて美麗でないという問題がある。
【０００９】
特許文献４に記載されている壁は、柔軟な長尺基材を取り付け、この上に塗装を施すので、特許文献３より若干施工し難いが、壁パネルを使用するので、特許文献１や特許文献２に記載されている壁より遙に施工し易く、施工期間が短いし、しかも、複数の壁パネルの間が柔軟な長尺基材で覆われて見えなくなっているので外観がよく、極めて好ましい壁であるが、壁材又は壁パネルの間に差し渡して取り付けた弾性を有する柔軟な長尺体の屋内側が空洞になっているので、この部分の機械的強度が弱く、痛み易いという問題がある。
【００１０】
そこで、この発明の目的は、現場施工工数を少なくすることのできる壁パネルであって、隣接する壁パネルの間に隙間がなく、従って、外観がよく、この壁パネルの間の隙間部分の機械的強度が弱くない状態に施工することのできる壁パネルと、この壁パネルを取り付けた壁と建物、壁パネルを取り付ける壁の施工方法を提供することである。
【課題を解決するための手段】
【００１１】
本発明は、上記課題を解決するためになされたものであって、請求項１に記載の発明は、板状壁材と補強材とからなる壁パネルであって、前記補強材が有孔板状補強材又は線状補強材であり、この補強材が板状壁材の側縁から板状壁材の面の延長方向に突出している壁パネルを特徴とするものである。
【００１２】
この請求項１記載の発明における板状壁材とは、外壁面材に使用可能な板状体をいい、かかる板状壁材としては、ＡＬＣ板、ＰＣ板、セメントモルタル板、硬質木片セメント板、珪酸マグネシウム板が好適である。そして、この板状壁材の機械的強度を大きくすると、風圧や衝撃等の外力に対する強度が増すので、機械的強度の大きな板状壁材が好ましい。具体的には曲げ強度が１００ｋｇｆ／ｃｍ2 （９．８ＭＰａ）以上になる厚みの板状壁材を用いることが望ましい。
【００１３】
また、請求項１記載の発明における補強材は、上記板状壁材を補強するものであって、有孔補強材や線状補強材である。
有孔補強材とは、金属板等の板状体に通孔を設けたものや、金属板に多数のスリット状の通孔を位置をずらして設け、この金属板を引き延ばしたラス等がある。
【００１４】
線状補強材とは、針金や金網等の金属製の線状補強材や、ガラス繊維等を格子状にした無機質の線状補強材や、ビニロン繊維、カーボン繊維等を格子状にした有機質の線状補強材等がある。そして、この補強材は板状壁材の機械的強度を補強するものである。従って、機械的強度が大きくて殆ど補強の必要のない板状壁材では、機械的強度の小さい補強材でよいし、機械的強度の小さな板状壁材では、機械的強度の大きな補強材が必要であるというように、この補強材に必要な機械的強度は、使用する板状壁材の種類によって、異なる。  例えば厚みが略１５ｍｍの硬質木片セメント板を金網で補強する場合には、直径が略１．０ｍｍの針金を略３０ｍｍの間隔にして縦、横に格子状に並べて交点を溶接した金網が好ましい。
【００１５】
そして、この請求項１記載の発明では、この補強材が板状壁材の側縁から板状壁材の面の延長方向に突出しているのであるが、この補強材の厚み方向の位置は適宜でよい、例えば、補強材が板状壁材の内部の中央部分に埋設されていてもよいし、裏面又は表面に顕れていてもよい。
補強材を表面に設ける場合には、補強材が表面から突出していると、この板状壁材の上に塗装を施したときに、補強材の場所が凸状に突出するので醜悪となる。
従って、表面から突出しないように、大部分を埋め込むことが望ましい。
好ましい補強材の厚み方向の位置は、板状壁材の略中央である。
【００１６】
この補強材は、上記のように、壁パネルを補強すると同時に、隣接する壁パネル同士を連結するために設けるものである。即ち、複数の壁パネルを、板状壁材の面方向に突出している補強材を重複させた状態に並べて、建物躯体に取り付けた後に、隣接する壁パネルの板状壁材間の隙間に突出している補強材を硬化した硬化性材料で連結する。すると、隣接する壁パネル同士が連結されるのである。この補強材以外の補強手段を併用してもよい。補強手段としては短繊維や補強フレームが挙げられる。内部に埋設したものでも、外に付けたものでもよい。
【００１７】
従って、この補強材は、壁パネルを連結させる側縁からのみ板状壁材の面の延長方向に突出させればよい。例えば、一番端の壁パネルは隣接する壁パネルが一方にのみ存在するので、隣接する壁パネルを取り付ける一方の側縁から板状壁材の面の延長方向に突出していればよいし、中央部分の壁パネルでは、両側に壁パネルが存在するので、補強材を両側の側縁から板状壁材の面の延長方向に突出していればよい。
【００１８】
又、上又は下に壁パネルが存在する場合には、上側又は下側の側縁から板状壁材の面の延長方向に突出していればよい。
この補強材は板状壁材の側縁から突出していればよく、請求項２記載の発明のように、中央部分になくてもよいし、請求項３記載の発明のように、中央部分にあってもよい。
【００１９】
即ち、請求項２記載の壁パネルの発明は、請求項１記載の発明に係り、前記補強材が板状壁材の周囲の側縁部分のみに設けられているものである。
【００２０】
請求項２記載の発明では、補強材が板状壁材の側縁部分にのみ設けられている。この場合に、この壁パネルの周縁部分に設けられている補強材の幅は適宜でよいが、補強材が板状壁材から抜けぬように、補強材が設けられる部分の幅は３０ｍｍ以上が望ましい。この補強材が設けられていない壁パネルの中央部分は他の補強手段で補強されているのが好ましい。
【００２１】
また、請求項３記載の壁パネルの発明は、請求項１記載の発明に係り、前記補強材が板状壁材の面方向全体に略均一に設けられているものである。
【００２２】
請求項４記載の壁の発明は、請求項１〜３のいずれかに記載の壁パネルの複数枚が、板状壁材の側縁から突出している補強材を重複させた状態に並べられて、建物躯体に取り付けられ、この並べられた隣接する壁パネルの板状壁材間の隙間には、硬化した硬化性材料が充填されていて、突出している補強材がこの硬化した硬化性材料で連結されている壁を特徴とするものである。
【００２３】
請求項５記載の発明は、請求項１〜３のいずれかに記載の壁パネルの複数枚を、隣接する壁パネルの板状壁材間に隙間を設け、且つ、この隙間で板状壁材の側縁から突出している補強材を重複させた状態にして並べて、建物躯体に取り付け、その後に、並べられた隣接する壁パネルの板状壁材間の隙間に硬化性材料を充填し、この硬化性材料を硬化させて突出している補強材を連結する壁の施工方法を特徴とするものである。
【００２４】
請求項４の発明と請求項５の発明では、壁パネルを建物躯体に取り付けるが、この壁パネルを取り付ける建物躯体の部材は適宜でよいが、通常、壁パネルは建物躯体の胴縁や間柱に取り付けるので、建物躯体としては、胴縁や間柱が好ましい。
【００２５】
この請求項４記載の発明と請求項５記載の発明に使用する硬化性材料とは、使用するときには流動性を有し、硬化すると固体となるものであって、モルタルセメント等の無機質のものや、エポキシ系接着剤やポリエステル系接着剤やポリウレタン系接着剤等の有機質のものが好適である。
この際の硬化する時間は適宜でよいが、工場で使用する場合には、硬化時間が長いと次工程の作業に支障が生ずるので、作業に支障が生じない範囲のできるだけ短い時間、例えば、３０分以内で硬化する速硬化タイプが好ましい。
【００２６】
また、この請求項４記載の発明と請求項５記載の発明では、隣接する壁パネルの板状壁材間に隙間を設けているが、この隙間はこの硬化性材料を充填し易いように１０ｍｍ以上が好ましい。そして、隙間の幅の上限は適宜でよいが、壁パネルを胴縁や間柱に取り付けるときには、充填した硬化性材料が胴縁や間柱から壁パネルの裏側に回り込まないように、この隙間の幅は胴縁や間柱の幅以下が好ましい。
【００２７】
そして、この硬化性材料を充填したときに、硬化性材料の表面を壁パネルの表面と略同じ高さ、即ち、面一にすると、壁パネルの表面と硬化性材料の表面を塗装したときに、塗装面が凹凸のない平面状になり、外観がよくなるので好ましい。
従って、この硬化性材料は、壁パネルの厚み×隙間の幅×隙間の長さに略等しい量が好ましい。
【００２８】
請求項６記載の発明は板状壁材と補強材とからなる壁パネルであって、前記補強材が有孔板状補強材又は線状補強材であり、この補強材が板状壁材の内部に埋設され、板状壁材の表面側が裏面側より板状壁材の面に沿った方向で、短いことを特徴とする。すなわち、板状壁材の隣接側の縁部の形状を段状の面としたものである。
この発明の板状壁材と補強材としては請求項１と同様のものが用いられる。そして、この補強材は板状壁材の表面側側縁から板状壁材の面の延長方向に突出しているのが好ましい。しかし、板状壁材の側縁から板状壁材の面の延長方向に突き出す必要はなく、板状壁材の裏面側側縁まであればよく、板状壁材の裏面側側縁から突出してもよい。
この補強材は、壁パネルを補強すると同時に、隣接する壁パネル同士を連結するためにも使用されるものである。即ち、複数の壁パネルを、建物躯体の間柱の上等に板状壁材の裏面側端縁を接した状態に並べて、建物躯体に取り付けると、板状壁材の表面側が裏面側より短くされているので、隣接する壁パネルの板状壁材の表面側間に隙間ができ裏面側の板状壁材部分の表側面から、更にそこにある補強材の上から釘、タッカー等で連結することができる。
その隙間に更に補強材、追加補強材を敷設し、硬化性材料を充填して硬化させ、この硬化した硬化性材料で連結する。すると、隣接する壁パネル同士が連結されるのである。隙間に使用される追加補強材は請求項１の発明に使用されたのと同様の有孔板状補強材や線状補強材が使用できる。
【００２９】
請求項７記載の壁の発明は、請求項６に記載の壁パネルの複数枚が、板状壁材の裏面側端部同士を接した状態に並べられて、建物躯体に取り付けられ、この並べられた隣接する壁パネルの板状壁材の表面側間にできた隙間には、更に追加補強材が敷設され、硬化した硬化性材料が充填されていて、隣接する壁パネルと追加補強材がこの硬化した硬化性材料で連結されていることを特徴とするものである。
【００３０】
請求項８記載の壁の施工方法の発明は、請求項６に記載の壁パネルの複数枚が、板状壁材の裏面側端部同士を接した状態にして並べて、建物躯体に取り付け、この並べられた隣接する壁パネルの板状壁材の表面側間の隙間に、追加補強材を敷設するとともに硬化性材料を充填し、硬化性材料を硬化させて隣接する壁パネルと追加補強材をこの硬化した硬化性材料で連結することを特徴とする。
【００３１】
請求項７、８記載の発明では、壁パネルを建物躯体に取付けるが、請求項４，５と同様建物躯体としては、胴縁や間柱が好ましい。また使用される硬化性材料としては請求項４，５と同様のものが用いられる。また補強材は板状壁材の側縁部分のみに設けられていてもよいし、板状壁材の面方向全体に略均一に設けられていてもよい。
また、この請求項７記載の発明と請求項８記載の発明では、板状壁材の裏面側端部同士を付き合わせた状態に並べて、建物躯体に取り付け、タッカーや釘で固定すると、硬化性材料を板状壁材の表面側間に充填しても壁パネルの裏側に回ることもなく、板状壁材の表面側間にできる隙間は、硬化性材料を充填し易く、作業性がよい。そしてこの硬化性材料を充填したときに、硬化性材料の表面を壁パネルの表面と略同じ高さ、即ち、面一にすると、壁パネルの表面と硬化性材料の表面を塗装したときに、塗装面が凹凸のない平面状になり、外観がよくなるので好ましい。従って、この硬化性材料は、壁パネルの表面側の厚み×隙間の幅×隙間の長さに略等しい量が好ましい。
【００３２】
請求項９に記載の発明では請求項４又は請求項７の発明に記載の壁を有することを特徴とする建物、又はユニット建物に適用した場合はユニット建物である。
（作用）
【００３３】
請求項１記載の発明では、板状壁材と補強材とからなる壁パネルであって、前記補強材が有孔板状補強材又は線状補強材であり、この補強材が板状壁材の側縁から板状壁材の面の延長方向に突出している壁パネルであるので、この壁パネルは、板状壁材を製造する際に、補強材を設けることにより、簡単に製造可能であるし、このようにして製造した壁パネルでは、板状壁材が有孔板状補強材の孔の中に入ったり、線状補強材の間に入って、補強材と板状壁材とが剥がれ難く強固に連結され、機械的強度の大きな壁パネルとなる。
【００３４】
しかも、この壁パネルを請求項５記載のように使用することにより、現場施工工数を少なくすることができるし、複数の壁パネルの間の隙間がなくなり、従って、外観がよく、しかも、この壁パネルの板状壁材間の隙間部分、つまり、壁パネルの連続部分の機械的強度が弱くない状態に施工できる。
【００３５】
請求項２記載の発明では、請求項１記載の発明に係り、前記補強材が板状壁材の周縁部分のみに設けられているので、補強材の使用量が少なくなり安価に製造できる。
しかも、請求項１記載の発明と同様に、この壁パネルは、簡単に製造可能であるし、大きな機械的強度を有する。また、この壁パネルを請求項５記載のように使用することにより、現場施工工数を少なくすることができるし、隣接する壁パネルの板状壁材間の隙間がなくなり、従って、外観がよく、しかも、この壁パネルの板状壁材間の隙間部分の機械的強度が弱くない状態に施工することができる。
【００３６】
請求項３記載の発明では、請求項１記載の発明に係り、前記補強材が板状壁材の面方向全体に略均一に設けられているので、この壁パネルは、補強材が板状壁材の面方向中央部分にも存在し、極めて大きな機械的強度を有する。
しかも、請求項１記載の発明と同様に、この壁パネルは、簡単に製造可能である。又、この壁パネルを請求項５記載のように使用することにより、現場施工工数を少なくすることができるし、複数の壁パネルの板状壁材間の隙間がなくなり、従って、外観がよく、しかも、この壁パネルの板状壁材間の隙間部分の機械的強度が弱くない状態に施工することができる。
【００３７】
請求項４記載の発明では、請求項１〜３のいずれかに記載の壁パネルの複数枚が、板状壁材の側縁から突出している補強材を重複させた状態に並べられて、建物躯体に取り付けられ、この並べられた隣接する壁パネルの板状壁材間の隙間には、硬化した硬化性材料が充填されていて、突出している補強材がこの硬化した硬化性材料で連結されている壁であるので、硬化した硬化性材料が、有孔板状補強材の孔の中に入ったり、線状補強材の間に入って連続した状態に硬化し、この硬化した硬化性材料と補強材とが剥がれ難く強固に連結されている。その結果、隣接する壁パネル同士が強固に連結され、継ぎ目のない壁が形成される。しかも、隣接する壁パネルの間の隙間には、硬化した硬化性材料が充填されていて、この部分の機械的強度が弱くない。
【００３８】
そして、この硬化性材料の表面と壁パネルの表面とを面一にすることにより、この壁パネルの表面と硬化性材料の表面とに塗料を塗布する等して、平滑な美麗な表面を有する壁とすることができる。
【００３９】
請求項５記載の発明は、請求項１〜３のいずれかに記載の壁パネルの複数枚を、隣接する壁パネルの板状壁材間に隙間を設け、且つ、この隙間で板状壁材の側縁から突出している補強材を重複させた状態にして並べて、建物躯体に取り付け、その後に、並べられた隣接する壁パネルの板状壁材間の隙間に硬化性材料を充填し、この硬化性材料を硬化させて突出している補強材を連結する壁の施工方法であるので、予め、工場等で製造した壁パネルを建物躯体に取り付け、隣接する壁パネルの板状壁材間の隙間に硬化性材料を充填するだけで、壁を形成させることができ、施工し易い。
【００４０】
そして、施工した壁では、硬化した硬化性材料で補強材が連結されていて、これにより隣接する壁パネル同士が強固に連結され、継ぎ目のない壁が形成されるし、この隣接する壁パネルの板状壁材間の隙間には硬化した硬化性材料が充填され、この連結部分の機械的強度が弱くない。
そして、この硬化性材料の表面と壁パネルの表面とを面一にすることにより、この壁パネルの表面と硬化性材料の表面とに塗料を塗布する等して、平滑な美麗な表面を有する壁とすることができる。
【００４１】
請求項６記載の発明は板状壁材の表面側が裏面側より板状壁材の面に沿った方向で短いので、複数の壁パネルを、建物躯体の間柱の上等に板状壁材の裏面側端縁同士を突き合せた状態に並べて、建物躯体に取り付けると、隣接する壁パネルの表面側に板状壁材間の隙間ができ、裏面側の板状壁材部分の表側面から、更にはそこにある補強材の上から釘、タッカー等で胴縁等に連結することができる。更にそこに硬化性材料を充填して隣接する壁パネルの板状壁材の裏面側同士を硬化した硬化性材料で連結すると、隣接する壁パネル同士が連結されるのである。また釘やタッカーは硬化性材料に埋もれるので、壁の仕上げをきれいにできる。
【００４２】
請求項７、請求項８記載の発明は、請求項６記載の発明の作用効果に加え、この並べられた隣接する壁パネルの板状壁材の表面側間にできた隙間には、追加補強材が敷設され更に硬化性材料が充填されるので壁パネルの連結部分の機械的強度も確保でき、かつ施工し易い。
【００４３】
請求項９記載の発明は請求項４、請求項７記載の壁を有することを特徴としているので、壁パネルの連結部分の機械的強度が確保され、施工し易く、また平滑な美麗な表面の壁を有する建物やユニット建物となる。
【発明の効果】
【００４４】
以上説明してきたように、請求項１に記載の発明は、板状壁材と補強材とからなる壁パネルであって、前記補強材が有孔板状補強材又は線状補強材であり、この補強材が板状壁材の側縁から板状壁材の面の延長方向に突出している壁パネルであるから、この壁パネルは簡単に製造可能であるし、製造した壁パネルは、板状壁材が有孔板状補強材の孔の中に入ったり、線状補強材の間に入って、補強材と板状壁材とが剥がれ難く強固に連結され、機械的強度の大きな壁パネルである。
【００４５】
しかも、この壁パネルを請求項５記載のように使用することにより、現場施工工数を少なくすることができるし、隣接する壁パネルの板状壁材間の隙間がなくなり、従って、外観がよく、しかも、この壁パネルの板状壁材間の隙間部分の機械的強度が弱くない状態に施工することができる。
【００４６】
請求項２記載の発明は、請求項１記載の発明に係り、前記補強材が板状壁材の周縁部分のみに設けられているから、補強材の使用量が少なくなり安価に製造できる。
しかも、請求項１記載の発明と同様に、この壁パネルは簡単に製造可能であるし、大きな機械的強度を有する。
【００４７】
そして、この壁パネルを請求項５記載のように使用することにより、現場施工工数を少なくすることができるし、複数の壁パネルの板状壁材間の隙間がなくなり、従って、外観がよく、この壁パネルの板状壁材間の隙間部分の機械的強度が弱くない状態に施工することのできる。
【００４８】
請求項３記載の発明は、請求項１記載の発明に係り、前記補強材が板状壁材の全体に略均一に設けられているから、補強材が板状壁材の中央部分にも存在し、極めて大きな機械的強度を有する。
しかも、請求項１記載の発明と同様に、この壁パネルは簡単に製造できる。
そして、この壁パネルを請求項５記載のように使用することにより、現場施工工数を少なくすることができるし、隣接する壁パネルの板状壁材間の隙間がなくなり、従って、外観がよく、しかも、この壁パネルの板状壁材間の隙間部分の機械的強度が弱くない状態に施工することができる。
【００４９】
請求項４記載の発明は、請求項１〜３のいずれかに記載の壁パネルの複数枚が、板状壁材の側縁から突出している補強材を重複させた状態に並べられて、建物躯体に取り付けられ、この並べられた隣接する壁パネルの板状壁材間の隙間には、硬化した硬化性材料が充填されていて、突出している補強材がこの硬化した硬化性材料で連結されている壁であるから、硬化した硬化性材料が、有孔板状補強材の孔の中に入ったり、線状補強材の間に入って硬化し、この硬化した硬化性材料と補強材とが剥がれ難く強固に連結していて、その結果、隣接する壁パネル同士が強固に連結され、継ぎ目のない壁が形成される。しかも、隣接する壁パネルとの間の隙間には、硬化した硬化性材料が充填されていて、この部分の機械的強度が低下しない。
【００５０】
そして、この硬化性材料の表面と壁パネルの表面とを面一にすることにより、この壁パネルの表面と硬化性材料の表面とに塗料を塗布して、平滑な美麗な壁とすることがきる。
【００５１】
請求項５記載の発明は、請求項１〜３のいずれかに記載の壁パネルの複数枚を、隣接する壁パネルの板状壁材間に隙間を設け、且つ、この隙間で板状壁材の側縁から突出している補強材を重複させた状態にして並べて、建物躯体に取り付け、その後に、並べられた隣接する壁パネルの板状壁材間の隙間に硬化性材料を充填し、この硬化性材料を硬化させて突出している補強材を連結する壁の施工方法であるから、予め、工場等で製造した壁パネルを建物躯体に取り付け、隣接する壁パネルの板状壁材間の隙間に硬化性材料を充填するだけで、壁を形成させることができ、施工し易い。
【００５２】
そして、施工した壁では、硬化した硬化性材料で補強材が連結されていて、隣接する壁パネル同士が強固に連結され、継ぎ目のない壁が形成されているし、この隣接する壁パネルの板状壁材間の隙間には硬化した硬化性材料が充填され、この部分の機械的強度が低下せず、継ぎ目のない美麗な壁とすることができる。
そして、この硬化性材料の表面と壁パネルの表面とを面一にすることにより、この壁パネルの表面と硬化性材料の表面とに塗料を塗布して、平滑な美麗な壁とすることができる。
【００５３】
請求項６記載の発明は、板状壁材と補強材とからなる壁パネルであって、前記補強材が有孔板状補強材又は線状補強材であり、この補強材が板状壁材の内部に埋設され、板状壁材の表面側が裏面側より板状壁材の面に沿った方向で短いことを特徴とする壁パネルであるから、この壁パネルは簡単に製造可能であるし、製造した壁パネルは、板状壁材が有孔板状補強材の孔の中に入ったり、線状補強材の間に入って、補強材と板状壁材とが剥がれ難く強固に連結され、機械的強度の大きな壁パネルである。
【００５４】
しかも、この壁パネルを請求項８記載のように使用することにより、現場施工工数を少なくすることができるし、隣接する壁パネルの板状壁材間の隙間がなくなり、従って、外観がよく、しかも、この壁パネルの板状壁材間の隙間部分の機械的強度が弱くない状態に施工することができる。
【００５５】
請求項７記載の発明は、請求項６に記載の壁パネルの複数枚が、板状壁材の裏面側端部同士を接した状態に並べられて、建物躯体に取り付けられ、この並べられた隣接する壁パネルの板状壁材の表面側間の隙間には、更に追加補強材が敷設され、硬化した硬化性材料が充填されていて、隣接する壁パネルと追加補強材がこの硬化した硬化性材料で連結されていることを特徴とする壁であるから、硬化した硬化性材料が追加補強材、例えば、有孔板状補強材の孔の中に入ったり、線状補強材の間に入って硬化し、この硬化した硬化性材料と追加補強材とが剥がれ難く強固に連結していて、その結果、隣接する壁パネル同士が強固に連結され、継ぎ目のない壁が形成される。しかも、隣接する壁パネルとの間の隙間には、硬化した硬化性材料が充填されていて、この部分の機械的強度が低下しない。板状壁材の表面側に露出している補強材があれば、更に壁パネルと追加補強材も硬化した硬化性材料とが強固に連結する。
そして、この硬化性材料の表面と壁パネルの表面とを面一にすることにより、この壁パネルの表面と硬化性材料の表面とに塗料を塗布して、平滑な美麗な壁とすることがきる。
【００５６】
請求項８記載の発明は、請求項６に記載の壁パネルの複数枚が、板状壁材の裏面側端部同士を接した状態に並べられて、建物躯体に取り付けられ、この並べられた隣接する壁パネルの板状壁材表面側間の隙間には、更に追加補強材が敷設され、硬化した硬化性材料が充填されていて、追加補強材がこの硬化した硬化性材料で連結されていることを特徴とする壁の施工方法であるから予め、工場等で製造した壁パネルを建物躯体に取り付け、隣接する壁パネルの板状壁材間の隙間に硬化性材料を充填するだけで、壁を形成させることができ、施工し易い。
【００５７】
そして、施工した壁では、硬化した硬化性材料で追加補強材が連結されていて、隣接する壁パネル同士が強固に連結され、継ぎ目のない壁が形成されているし、この隣接する壁パネルの板状壁材間の隙間には硬化した硬化性材料が充填され、この部分の機械的強度が弱くなく、継ぎ目のない美麗な壁とすることができる。
そして、この硬化性材料の表面と壁パネルの表面とを面一にすることにより、この壁パネルの表面と硬化性材料の表面とに塗料を塗布して、平滑な美麗な壁とすることができる。
【００５８】
請求項９記載の発明は請求項４、請求項７記載の壁を有することを特徴としているので、壁パネルの接続強度が確保され、施工し易く、また平滑な美麗な表面の壁を有する建物やユニット建物となる。
【発明を実施するための最良の形態】
【００５９】
以下、本発明の実施の形態を実施例で説明する。
（実施例１）
【００６０】
図１〜図４は本発明の一実施例を示すもので、図１は壁パネルの一部切欠斜視図、図２は壁パネルを建物躯体に取り付けた建物の壁部分を判り易いように分解して示す一部切欠斜視図、図３は壁パネルを胴縁に取り付けたときの壁パネルの配置を示す正面図、図４は隣接する壁パネルの間の隙間近傍を示す水平断面図である。
【００６１】
図１〜図４において、１は壁パネルであり、この壁パネル１は、図１に示すように、板状壁材２と補強材３とからなる。
板状壁材２は厚み略１５ｍｍの略四角形をしている硬質木片セメント板である。
補強材３は、直径１．０ｍｍの針金を格子状に並べ、縦横の間隔を３０ｍｍにして、交点を溶接したものであって、この補強材３は、針金が板状壁材の縁に対して斜めになるようにして板状壁材２の中に埋設されている。即ち、補強材３は板状壁材２の面方向全体に設けられている。
【００６２】
そして、この補強材３は板状壁材２の両側の側縁から板状壁材２の面の延長方向に略１０ｍｍ突出している。
４は隣接する壁パネル１の板状壁材間の隙間に充填された速硬化型のエポキシ系接着剤の硬化性材料を硬化させたものであり、この硬化した硬化性材料４の表面は、図４に示すように、壁パネル１の表面と略面一になっている。
【００６３】
５は、壁パネル１を取り付ける部分の建物躯体であり、この建物躯体５は、図２及び図４に示すように、厚みが略３８ｍｍ、幅が略８９ｍｍの木材（枠組壁工法に使用する２×４ランバー）が３枚重ねられて立設された柱５１と、この柱５１の屋内側に取り付けられた石膏ボードの内壁板５２と、柱の屋外側に取り付けられた厚み６ｍｍの合板５３からなる耐力壁５４と、この耐力壁５４の屋外側に張り付けられたポリプロピレン製の透湿防水シート５５と、この透湿防水シート５５の外側に取り付けられた厚みが略３８ｍｍ、幅が略８９ｍｍの胴縁５６からなる。
【００６４】
そして、この胴縁５６の屋外側に壁パネル１が差し渡され、取り付けられている。
この際、隣接する壁パネル１の板状壁材間には略１０ｍｍの隙間Ｓが設けられ、この隙間Ｓが丁度胴縁５６の屋外側になるようになっている。そして、側縁から板状壁材２の面の延長方向に突出している補強材３は、図３に示すように、この胴縁５６の屋外部分で重なり合っている。
【００６５】
このようになっているので、壁パネル１と透湿防水シート５５との間には、両側が胴縁５６で仕切られた上下方向に長い空気流通路Ｒが形成されている。
そして、この壁では、空気流通路Ｒを乾燥した空気が下方から上方に流れることによって、壁内が乾燥し、結露等が発生しないし、壁内が腐食し難くなっている。
６は壁パネル１と硬化した硬化性材料４の屋外側面に設けられた塗装面である。
【００６６】
次に、この壁パネル１の施工方法及び作用について説明する。
工場で、下型の中に硬質木片セメント板の原料を充填し、この上に補強材３である金網を載せ、この上に底のない上型を載せ、この上型の中に硬質木片セメント板の原料を充填し、プレス成型して、壁パネル１を製造する。
このように、壁パネル１は、簡単に製造できるし、板状壁材２が格子状の補強材３の間に入って、補強材３と板状壁材２とが剥がれ難くなっている。
【００６７】
しかも、この壁パネル１は、補強材３が板状壁材２の中央部分にも存在するので、極めて機械的強度の大きな壁パネルである。
この壁パネル１を施工現場に運搬し、建物躯体５に取り付けて建物としたり、この壁パネル１をユニット建物に適用する場合には、工場で組み立てられた建物ユニットである建物躯体５に壁パネル１を取り付け、この建物ユニットの複数個を施工現場に運搬し、施工現場で組み立ててユニット建物としてもよい。
いずれにしても、壁パネル１を建物躯体５に取り付ける。
【００６８】
この壁パネル１の取付方法について説明する。
建物躯体５の壁部分には、立設された柱５１と、この柱５１の屋内側に取り付けられた内壁板５２と、柱の屋外側に取り付けられた合板５３からなる耐力壁５４と、この耐力壁５４の屋外側に張り付けられた透湿防水シート５５と、この透湿防水シート５５の外側に取り付けられた胴縁５６とが設けられている。
そして、この胴縁５６の屋外側に壁パネル１を差し渡して、壁パネル１の上から胴縁５６に釘を打ち込んで、壁パネル１を取り付ける。
この際、隣接する壁パネル１の板状壁材間には略１０ｍｍの隙間Ｓを設ける。
この際、隙間Ｓでは、板状壁材２の面の延長方向に突出している補強材３を、図３に示すように、この胴縁５６の屋外側で重ね合わす。
【００６９】
次に、この隙間Ｓの中に速硬化型のエポキシ系接着剤である硬化性材料を充填する。
そして、硬化性材料の表面を壁パネル１と略面一にする。
しばらくすると、この硬化性材料が硬化して、硬化した硬化性材料４となる。
すると、硬化した硬化性材料４は、補強材３の金網の隙間に入って連続した状態になり、この硬化した硬化性材料４と補強材３とが剥がれ難く強固に連結し、その結果、隣接する壁パネル１同士が強固に連結されるし、隣接する壁パネル１の板状壁材２との間の隙間には硬化した硬化性材料４が充填され、隙間がなくなり、この部分の機械的強度が低下しない。
次に、この壁パネル１と硬化した硬化性材料の表面に塗料を塗布して塗装面６を設けると、壁Ｔが完成する。
【００７０】
このように、予め、工場等で製造した壁パネル１を建物躯体５の胴縁５６に取り付け、隣接する壁パネル１の板状壁材間の隙間に硬化性材料を充填し、硬化した硬化性材料４を形成させ、表面に塗料を塗布して塗装面６を形成させるだけで壁を形成させることができるので、施工し易い。
しかも、この硬化した硬化性材料４の表面と壁パネル１の表面とが面一となっているので、この壁パネル１の表面と硬化した硬化性材料４の表面とに塗料を塗布して塗装面６を設けると、継ぎ目のない平滑な壁Ｔが形成され、外観のよい壁となる。
（実施例２）
【００７１】
図５及び図６は本発明の他の実施例を示すもので、図５は壁パネルの一部切欠斜視図、図６は壁パネルを胴縁に取り付けたときの壁パネルの配置を示す正面図である。
図５及び図６に示す実施例２を図１〜図４に示す実施例１と比較すると、壁パネル１ａの構造が異なるだけで、その他は実施例１と略同じであるので、この異なる壁パネル１ａについて説明し、その他の説明を省略する。
壁パネル１ａは、図４に示すように、厚み略１５ｍｍの略四角形をしている硬質木片セメント板の板状壁材２ａの中に、直径１．０ｍｍの針金を格子状に並べ、縦横の間隔を３０ｍｍにして、交点を溶接した補強材３ａが設けられたものであるが、この補強材３ａは板状壁材２の周縁部分にのみ設けられている。
【００７２】
即ち、この補強材３ａは、板状壁材２ａの周縁部分に４０ｍｍ埋設され、板状壁材２ａの両側の側縁から板状壁材２ａの面の延長方向に略１０ｍｍ突出した状態に設けられている。
このように、補強材３ａが板状壁材２ａの周縁部分のみに設けられているので、補強材３ａの使用量が少なくなり安価に製造できる。
【００７３】
この壁パネル１ａの使用方法及びその他の作用は、図６に示すように、胴縁の屋外側で、突出した補強材３ａを重ね合わせて取り付け、隣接する壁パネルの板状壁材間の隙間に硬化性材料を充填し、この硬化性材料を硬化させ、この外壁パネルと硬化した硬化性材料の表面に塗装を施すというように、実施例１と同様に施工できるし、実施例１と同様の作用があるだけであるので説明を省略する。
（実施例３）
【００７４】
図７は本発明の他の実施例を示すもので、図７（イ）は隣接する壁パネルの間の隙間近傍を示す水平断面図であり、（ロ）はその壁パネルの間の隙間近傍の構成を説明する図である。
図７（イ）に示す実施例３を実施例１と比較して説明し、同じ所は、その説明を省略する。図７（イ）において、１ｂは壁パネルであり、この壁パネル１ｂは、板状壁材２ｂと補強材３ｂとからなる。
板状壁材２ｂは厚み略１５ｍｍの硬質木片セメント板で平面視は略四角形、端部は表面側を板状壁材の面に沿った方向で裏面側より短くされている。
そして  補強材３ｂは、実施例１と同様、直径１．０ｍｍの針金を格子状に並べ、縦横の間隔を３０ｍｍにして、交点を溶接したものであって、この補強材３ｂは、針金が板状壁材の縁に対して斜めになるようにして板状壁材２ｂの中に埋設されている。即ち、補強材３ｂは板状壁材２ｂの面方向全体に設けられている。
【００７５】
そして、補強材３ｂは板状壁材２ｂの裏面側２ｂ２の側縁まで延在している。従って、板状壁材２ｂの表面側２ｂ１の板状壁材の面に沿った方向の長さが板状壁材２ｂの裏面側２ｂ２、及び補強材３ｂの長さより短くされ、板状壁材の隣接側の縁部形状が段状の面になっている。
４ｂは隣接する壁パネル１ｂの板状壁材間の隙間に充填された速硬化型のエポキシ系接着剤の硬化性材料を硬化させたものであり、この硬化した硬化性材料４ｂの表面は、図７（イ）に示すように、壁パネル１の表面と略面一になっている。
６ｂは壁パネル１ｂと硬化した硬化性材料４ｂの屋外側面に設けられた塗装面である。
５は、壁パネル１を取り付ける部分の建物躯体であり、この建物躯体５は、実施例１と同様なので詳細説明は省略する。
【００７６】
次に、この壁パネル１ｂの施工方法及び作用について説明する。
工場で、下型の中に硬質木片セメント板の原料を充填し、この上に補強材３ｂである金網を載せ、この上に底のない上型を載せ、この上型の中に硬質木片セメント板の原料を充填し、プレス成型して、壁パネル１ｂを製造する。上型と下型とで成形される板の面方向での寸法を変えることにより板状壁材の表面側と裏面側との板状壁材の面に沿った方向での寸法を変えることができる。
また壁パネル１ｂは実施例１で成形後の壁パネル１の表面側の一部を削り取っても製造することができる。
この壁パネル１ｂを施工現場に運搬し、壁パネル１ｂを建物躯体５に取り付ける。
【００７７】
次に、この壁パネル１ｂの取付方法について説明する。
建物躯体５の壁部分には、立設された柱５１と、この柱５１の屋内側に取り付けられた内壁板５２と、柱の屋外側に取り付けられた合板５３からなる耐力壁５４と、この耐力壁５４の屋外側に張り付けられた透湿防水シート５５と、この透湿防水シート５５の外側に取り付けられた胴縁５６とが設けられている。ここまでは実施例１と同様である。
【００７８】
そして、この胴縁５６の屋外側に壁パネル１ｂを差し渡して、壁パネル１ｂの端部の表面側つまり、補強材３ｂと板状壁材の裏面側１ｂ２の板状壁材部分の表側面から胴縁５６に釘５７を打ち込んで、胴縁５６に壁パネル１ｂを取り付ける。
この際、隣接する壁パネル１ｂの板状壁材の裏面側１ｂ２間に隙間を設ける必要はない。
そして追加の補強材３ｂ１（追加補強材）を板状壁材２ｂの表面側２ｂ１の隙間部分Ｓｂに設置し、上からタッカーで十分に固定する。補強材３ｂの上から更に追加補強材３ｂ１を重ねてタッカーで十分に固定するので固定は強固になる。追加補強材３ｂ１としては補強材３と同じ材質のものが使用されるが、その他金属製、樹脂製の網状補強材でもよい。
【００７９】
次に、この隙間Ｓｂの中に速硬化型のエポキシ系接着剤である硬化性材料を充填する。
そして、硬化性材料の表面を壁パネル１ｂの表面１ｂ１と略面一にする。この結果タッカーは硬化性材料に埋没し、表面に現れない。
しばらくすると、この硬化性材料が硬化して、硬化した硬化性材料４ｂとなる。
【００８０】
すると、硬化した硬化性材料４ｂは、補強材３ｂ、追加補強材３ｂ１の隙間に入って連続した状態になり、この硬化した硬化性材料４ｂと補強材３ｂ、追加補強材３ｂ１が剥がれ難く強固に連結し、その結果、更に隣接する壁パネル１ｂ同士が強固に連結されるし、隣接する壁パネル１ｂの板状壁材２ｂ１の間の隙間には硬化した硬化性材料４ｂが充填され、隙間がなくなり、この部分の機械的強度が弱くならない。
次に、この壁パネル１ｂと硬化した硬化性材料の表面に塗料を塗布して塗装面６ｂを設けると、壁Ｔｂが完成する。
（実施例４）
【００８１】
実施例４では、実施例３の補強材３ｂが板状壁材２ｂの周縁部分にのみ設けられたもので、その他は実施例３と同様である。この補強材３ｃは、板状壁材２ｃの周縁部分に４０ｍｍ埋設されている。実施例３との違いを図８の壁パネルの間の隙間近傍の構成を説明する図に示す。
このように、補強材３ｃが板状壁材２ｃの周縁部分のみに設けられているので、補強材３ａの使用量が少なくなり安価に製造できる。
実施例３及び実施例４の他に、補強材を板状壁材の全面に設けるか、周辺部分にのみ設けるか、また補強材の端部長さが板状壁材の表面側端部までか、裏面側端部までか。また追加補強材が有りか、無しか、でその他の変形例が挙げられる。
(変形例及び参考例）
【００８２】
実施例３、実施例４の変形例を図９の（イ）〜（ニ）に壁パネルの間の隙間近傍の構成を説明する図で模式的に示す。
図１０の（イ）、（ロ）は参考例である。完成した壁にするにはいずれも表面の隙間に硬化性材料が充填され、表面には塗装されるが、図９、図１０では図示を省略している。
図９（イ）は実施例３の変形例を説明し、実施例３と比較して追加補強材３ｃ１がない例である。補強材３ｂは板状壁材２ｂの面方向全体に略均一に設けられ、補強材３ｂの端部長さは板状壁材２ｂの裏面２ｂ２の端部まであり、板状壁材２ｂの表面側２ｂ１間にできた隙間には硬化性材料４ｂが充填されている（不図示）。
実施例３に比べると追加補強材３ｃ１がないので強度は低下するが作業性がよくなる。
図９（ロ）は実施例４の変形例を説明し、実施例４と比較して追加補強材３ｃ１がない例である。補強材３ｃが板状壁材２ｃの周辺部分にのみ設けられ、補強材３ｃの端部長さは板状壁材２ｃの裏面２ｃ２側端部まであり、板状壁材２ｃの表面側２ｃ１間にできた隙間には補強材３ｃはあるが追加補強材３ｃ１がない。実施例４に比べると追加補強材３ｃ１がないので強度は低下するが作業性がよくなる。
図９（ハ）は実施例３の別の変形例を説明し、板状壁材２ｂの表面側２ｂ１間にできた隙間に補強材３ｂがない例である。補強材３ｂは板状壁材２ｂの面方向全体に略均一に設けられ、補強材３ｂの端部長さは板状壁材２ｂの表面側２ｂ１の端部まであり、板状壁材２ｂの表面側２ｂ１間にできた隙間には補強材３ｂはないが、追加補強材３ｂ１が敷設され、硬化性材料４ｂが充填されている。隙間には補強材はないが、追加補強材があるので、接続部の強度低下が軽減される。
図９（ニ）は実施例４の別の変形例を説明し、実施例４と比較して、補強材３ｃは板状壁材２ｃの周辺部分にのみ設けられ、補強材３ｃの端部長さは板状壁材２ｃの表面側２ｃ１の端部までであり、板状壁材２ｃの表面側２ｃ１間にできた隙間には補強材３ｃはなく、追加補強材３ｃ１が敷設され、硬化性材料４ｃが充填されている。隙間には補強材はないが、追加補強材があるので、接続部の強度低下が軽減される。
図１０（イ）は実施例３に関連する参考例で、補強材３ｂは板状壁材２ｂの面方向全体に略均一に設けられ、補強材３ｂの端部長さは板状壁材２ｂの表面側２ｂ１の端部までであり、板状壁材２ｂの表面側２ｂ１間にできた隙間には補強材、追加補強材はなく、硬化性材料４ｂが充填される。隙間には補強材、追加補強材はなく、接続部の強度は低下する。
図１０（ロ）は実施例４に関連する参考例の説明図で、補強材３ｃは板状壁材２ｃの周辺部分にのみ設けられ、補強材３ｃの端部長さは板状壁材２ｃの表面側２ｃ１の端部までであり、板状壁材２ｃの表面側２ｃ１間にできた隙間には補強材、追加補強材はなく、硬化性材料４ｃが充填される。隙間には補強材、追加補強材はなく、接続部の強度は低下する。
【００８３】
以上、この発明の実施の形態を実施例で詳細に説明したが、具体的な構成は、この実施例に限られるものではなく、この発明の要旨を逸脱しない範囲の設計の変更があっても、この発明に含まれる。
例えば、板状壁材として硬質木片セメント板を使用したが、その他の面材であってもよい。例えば、ＡＬＣ板等の外壁面材であってもよい。又、石膏ボード等の内壁面材であってもよい。
また、形状が矩形状であるが、その他の形状であってもよいし、板状壁材の隣接側の縁部の形状が実施例３以降に説明したように段状の面であってもよい。
また、硬化性材料としてエポキシ系接着剤を使用したが、その他のものでもよい。
【産業上の利用可能性】
【００８４】
隣接する壁パネルの間に隙間がなく、従って、外観がよく、この壁パネルの間の隙間部分の機械的強度が弱くない状態に施工することのできる壁パネルと、この壁パネルを取り付けた壁と、この壁パネルを取り付ける壁の施工方法が提供できる。
【図面の簡単な説明】
【００８５】
【図１】本発明の一実施例を示すもので、壁パネルの一部切欠斜視図である。
【図２】壁パネルを建物躯体に取り付けた建物の壁部分を判り易いように分解して示す斜視図である。
【図３】壁パネルを胴縁に取り付けたときの壁パネルの配置を示す正面図である。
【図４】隣接する壁パネルの板状壁材間の隙間近傍を示す水平断面図である
【図５】本発明の他の実施例を示すもので、壁パネルの一部切欠斜視図である。
【図６】壁パネルを胴縁に取り付けたときの壁パネルの配置を示す水平正面図である。
【図７】本発明の一実施例を示すもので、（イ）は隣接する壁パネルの板状壁材接続部近傍を示す水平断面図であり、（ロ）は隣接する壁パネルの板状壁材接続部近傍を示す説明図である。
【図８】本発明の実施例及びその変形例を説明するもので、隣接する壁パネルの接続部近傍を示す断面の模式図である。
【図９】本発明の実施例及びその変形例を説明するもので、隣接する壁パネルの接続部近傍を示す断面の模式図である。
【図１０】本発明の参考例を説明すもので、隣接する壁パネルの接続部近傍を示す断面の模式図である。
【符号の説明】
【００８６】
１、１ａ、１ｂ、１ｃ        壁パネル
２、２ａ、２ｂ、２ｃ        板状壁材
２ｂ１、２ｃ１              板状壁材表面側
２ｂ２、２ｃ２              板状壁材裏面側
３、３ａ、３ｂ、３ｃ        補強材
３ｂ１、３ｃ１              追加補強材
４、４ａ、４ｂ、４ｃ        硬化した硬化性材料
５                          建物躯体
６、６ａ、６ｂ、６ｃ        塗装面
【図１】
2004308408.tif 000003
【図２】
2004308408.tif 000004
【図３】
2004308408.tif 000005
【図４】
2004308408.tif 000006
【図５】
2004308408.tif 000007
【図６】
2004308408.tif 000008
【図７】
2004308408.tif 000009
【図８】
2004308408.tif 000010
【図９】
2004308408.tif 000011
【図１０】
2004308408.tif 000012